【手続補正書】
【提出日】令和2年10月15日(2020.10.15)
【手続補正１】
【補正対象書類名】明細書
【補正対象項目名】０１８５
【補正方法】変更
【補正の内容】
【０１８５】
無線通信装置２４２は、各種実施形態で前述したケーシングとは異なるケーシングに収容されたものとされたものでもよく、一般的には、該ケーシングは、前記支持体の一部又はこれに固定されたものであってもよいし、前記リンク機構の任意の構成品の一部又はその構成品に固定されたものであってもよく、さらには、前記ディレイラの可動体の一部、又は可動体に固定されたものであってもよい。
なお、本発明は、実施の態様として以下の内容を含む。
〔態様１〕
自転車の電子式ワイヤレスディレイラ（２００，３００，４００，５００）であって、
自転車（１０００）のフレームに該自転車（１０００）の同軸歯車（１００２，１００４）のアセンブリの箇所で取り付けられるように構成された支持体（２０２，３０２，４０２，５０２）と、
チェーンガイド（２０６，３０６，４０６，５０６）を含む可動体（２０４，３０４，４０４，５０４）と、
電気モータ（２１０，３１０，４１０，５１０）を含み、前記可動体（２０４，３０４，４０４，５０４）を前記支持体（２０２，３０２，４０２，５０２）に対して動かすように構成された作動手段（２０８，３０８，４０８，５０８）と、
前記電気モータ（２１０，３１０，４１０，５１０）を制御する制御手段（２４０）と、
前記制御手段（２４０）の一部を構成する装置又は前記制御手段（２４０）と通信する装置であって、無線送信器（２５２）からのギアシフト要求信号を受信するように構成され、第１のケーシング（２０２，２０８，３０２，４１３，５１３）に収容されている無線通信装置（２４２）と、
前記無線通信装置（２４２）にウェーク信号（２４４）を発するように構成された、自転車の運動検出器（１０）と、
を備える、ディレイラ（２００，３００，４００，５００）において、
前記運動検出器（１０）が、前記第１のケーシング（２０２，２０８，３０２，４１３，５１３）とは別の少なくとも１つの第２のケーシング（２２，２２Ａ）に少なくとも部分的に収容されており、少なくとも１つのケーブル（３２０，３２０Ａ，４２０，５２０）を介して前記無線通信装置（２４２）と通信することを特徴とする、ディレイラ（２００，３００，４００，５００）。
〔態様２〕
態様１に記載のディレイラ（２００，３００，４００，５００）において、少なくとも１つのケーブル（３２０，３２０Ａ，４２０，５２０）を介した前記無線通信装置（２４２）と前記運動検出器（１０）との間の通信経路に、少なくとも一対の、相互に係合・脱着可能なコネクタ（３２２，３２２Ａ，４２２）が設けられている、ディレイラ（２００，３００，４００，５００）。
〔態様３〕
態様１または２に記載のディレイラ（２００，３００，４００，５００）において、前記運動検出器（１０）が、磁場を生成する少なくとも１つの磁石（１２，１２Ａ）および少なくとも１つの磁場センサ（１４，１４Ａ）を含み、前記自転車が運動状態にあるか、停止しているかに応じて、前記センサ（１４，１４Ａ）により検出される前記磁場が異なることを特徴とする、ディレイラ（２００，３００，４００，５００）。
〔態様４〕
態様３に記載のディレイラ（２００，３００，４００，５００）において、前記磁石（１２，１２Ａ）および前記センサ（１４，１４Ａ）が前記チェーンガイド（２０６，３０６，４０６，５０６）に取り付けられており、少なくとも前記センサ（１４，１４Ａ）は、前記少なくとも１つの第２のケーシング（２２）に収容されており、かつ、前記少なくとも１つのケーブル（３２０，３２０Ａ，４２０，５２０）を介して前記無線通信装置（２４２）と通信する、ディレイラ（２００，３００，４００，５００）。
〔態様５〕
態様３または４に記載のディレイラ（２００，３００，４００，５００）において、前記センサ（１４，１４Ａ）が、前記チェーンガイド（２０６，３０６，４０６，５０６）の第１のプレート（３１４，３１６，４１４，４１６，５１４，５１６）に固定されている、ディレイラ（２００，３００，４００，５００）。
〔態様６〕
態様５に記載のディレイラ（２００，３００，４００，５００）において、該ディレイラがフロントディレイラ（３００）であり、前記センサ（１４，１４Ａ）が、前記チェーンガイド（２０６，３０６）の内側プレート（３１６）に固定されている、ディレイラ（２００，３００，４００，５００）。
〔態様７〕
態様５に記載のディレイラ（２００，３００，４００，５００）において、該ディレイラがリアディレイラ（４００，５００）であり、前記センサ（１４）が、前記チェーンガイド（２０６，４０６，５０６）の外側プレート（４１４，５１４）に固定されている、ディレイラ（２００，３００，４００，５００）。
〔態様８〕
態様５〜７のいずれか一態様に記載のディレイラ（２００，３００，４００，５００）において、前記センサ（１４，１４Ａ）が、前記チェーンガイド（２０６，３０６，４０６，５０６）の前記第１のプレート（３１４，３１６，４１４，４１６，５１４，５１６）における各凹状座部又は切欠部（３０）に固定されている、ディレイラ（２００，３００，４００，５００）。
〔態様９〕
態様５〜８のいずれか一態様に記載のディレイラ（２００，３００，４００，５００）において、前記磁石（１２）が、前記チェーンガイド（２０６，３０６，４０６）の第２のプレート（３１４，３１６，４１４，４１６）に固定されており、前記磁石（１２）と前記センサ（１４）との相互位置が固定されており、前記センサ（１４）が前記磁石（１２）により生成される前記磁場内に配されており、少なくとも所定のギア比での、前記自転車（１０００）の伝動チェーン（１００）がたどる閉ループ経路（１３０）の所定の経路長（１４０）が前記磁石（１２）により生成される前記磁場内に配されて、前記経路長（１４０）内に少なくとも１つのチェーンの実体的部位（１５０，１５２，１５４）が存在する場合に、前記センサ（１４）が前記チェーンの実体的部位（１５０，１５２，１５４）によって乱された前記磁場を検出する、ディレイラ（２００，３００，４００，５００）。
〔態様１０〕
態様９に記載のディレイラ（２００，３００，４００，５００）において、前記経路長（１４０）が、前記磁石（１２）と前記センサ（１４）との間の空間を通過する、ディレイラ（２００，３００，４００，５００）。
〔態様１１〕
態様４〜１０のいずれか一態様に記載のディレイラ（２００，３００，４００，５００）において、前記磁石（１２）および前記センサ（１４）が、前記チェーンガイド（２０６，３０６，４０６）の両側のプレート（３１４，３１６，４１４，４１６）において対応する位置に固定されている、ディレイラ（２００，３００，４００，５００）。
〔態様１２〕
態様９〜１１のいずれか一態様に記載のディレイラ（２００，３００，４００，５００）において、該ディレイラがリアディレイラ（４００，５００）であり、前記チェーンガイド（４０６，５０６）が２つのプーリ担持プレート（４１４，４１６）を有し、前記磁石（１２）および前記センサ（１４）が、プーリ（４２８，４３０）の、好ましくは前記チェーンテンショナー（２０６，４０６）の前記上側プーリ（４２８））の、歯部（４２６）の箇所において、前記プーリ担持プレート（４１４，４１６）の対応する位置に固定されている、ディレイラ（２００，３００，４００，５００）。
〔態様１３〕
態様９〜１１のいずれか一態様に記載のディレイラ（２００，３００，４００，５００）において、該ディレイラ（２００，３００）がフロントディレイラ（３００）である、ディレイラ（２００，３００，４００，５００）。
〔態様１４〕
態様１〜５、７および８のいずれか一態様に記載のディレイラ（２００，３００，４００，５００）において、該ディレイラ（２００，４００）がリアディレイラ（４００）であり、前記チェーンガイド（２０６，５０６）が２つのプーリ担持プレート（４１４，４１６）および該プーリ担持プレート（４１４，４１６）間に回動可能に支持された２つのプーリ（４２８，４３０）を有しており、前記磁石（１２）が前記チェーンガイド（２０６，５０６）の第１のプーリ（４２８，４３０）に固定されており、前記センサ（１４）はプーリ担持プレート（４１４，４１６）に固定され、前記第１のプーリ（４２８，４３０）が回転するあいだ、前記磁石（１２）により生成される前記磁場内に周期的に入るように配置されている、ディレイラ（２００，３００，４００，５００）。
〔態様１５〕
態様１から１４のいずれか一態様に記載のディレイラ（２００，３００，４００，５００）において、前記第１のケーシング（２０２，２０８，３０２，４１３，５１３）が、前記支持体（２０２，３０２，４０２，５０２）の一部を構成するか、又は前記支持体（２０２，３０２，４０２，５０２）に固定されている、ディレイラ（２００，３００，４００，５００）。